(57)【要約】【課題】所望の関心部位の観察を妨げることなく、被検体内の一連の画像を観察する時間を短縮できること。【解決手段】時系列に沿って撮像された被検体内の一連の画像を表示する画像表示装置において、前記被検体内の所望部位の特徴を有する画像を抽出し、前記一連の画像のうちの該抽出した画像を前記所望部位の画像として特定する画像抽出部１５ａと、前記特定した所望部位の画像の表示フレームレートを該所望部位以外の画像の表示フレームレートと異なるものにするフレームレート制御部１５ｂと、を備える。【選択図】        図２
2006149684.tif 000002
【特許請求の範囲】
【請求項１】
時系列に沿って撮像された被検体内の一連の画像を表示する画像表示装置において、
前記被検体内の所望部位の特徴を有する画像を抽出し、前記一連の画像のうちの該抽出した画像を前記所望部位の画像として特定する画像特定手段と、
前記特定した所望部位の画像の表示フレームレートを該所望部位以外の画像の表示フレームレートと異なるものにするフレームレート制御手段と、
を備えたことを特徴とする画像表示装置。
【請求項２】
前記フレームレート制御手段は、前記特定した所望部位の画像の表示フレームレートを該所望部位以外の画像の表示フレームレートに比して低速にすることを特徴とする請求項１に記載の画像表示装置。
【請求項３】
前記一連の画像の表示フレームレートを指示入力する入力手段を備え、
前記フレームレート制御手段は、前記指示入力された表示フレームレートを前記一連の画像の表示フレームレートとして設定し、該設定した表示フレームレートのうち、前記所望部位の画像の表示フレームレートを該設定した表示フレームレートに比して低速に変更し、前記所望部位以外の画像の表示フレームレートを前記設定した表示フレームレートに比して高速に変更することを特徴とする請求項１または２に記載の画像表示装置。
【請求項４】
前記フレームレート制御手段は、前記一連の画像のうちの前記特定した所望部位以外の画像を除外することを特徴とする請求項１または２に記載の画像表示装置。
【請求項５】
前記被検体内の所望部位を選択する部位選択手段を備え、
前記画像特定手段は、前記選択した所望部位の特徴を有する画像を抽出し、前記一連の画像のうちの該抽出した画像を前記所望部位の画像として特定することを特徴とする請求項１〜４のいずれか一つに記載の画像表示装置。
【請求項６】
前記画像特定手段は、医学的な異常部位の特徴を有する画像をさらに抽出し、前記特定した所望部位の画像のうちの該抽出した画像を前記異常部位の画像として特定し、
前記フレームレート制御手段は、前記一連の画像のうちの前記所望部位以外の画像を削除するとともに、前記特定した異常部位の画像の表示フレームレートを前記所望部位のうちの該異常部位以外の画像の表示フレームレートに比して低速にすることを特徴とする請求項５に記載の画像表示装置。
【請求項７】
前記特定した所望部位は、前記被検体内の食道、胃、小腸、大腸、または出血部位であることを特徴とする請求項１〜６のいずれか一つに記載の画像表示装置。
【発明の詳細な説明】
【技術分野】
【０００１】
この発明は、所望の被写体が時系列に沿って撮像された一連の画像を表示する画像表示装置に関するものである。
【背景技術】
【０００２】
近年、内視鏡の分野においては、撮像機能と無線通信機能とが設けられた飲込み型の内視鏡であるカプセル型内視鏡が登場し、このカプセル型内視鏡によって撮像された被検体内の画像データを取得するカプセル型内視鏡システムが開発されている。このカプセル型内視鏡システムにおいて、カプセル型内視鏡は、観察（検査）のために被検体の口から飲込まれた後、この被検体から自然排出されるまでの間、この被検体内たとえば胃または小腸等の臓器の内部をその蠕動運動に従って移動するとともに、所定間隔たとえば０．５秒間隔でこの被検体内を撮像するように機能する。
【０００３】
カプセル型内視鏡が被検体内を移動する間、このカプセル型内視鏡によって撮像された画像データは、順次無線通信によって外部に送信され、外部に設けられた受信アンテナを介して受信装置に受信される。この受信装置は、受信アンテナを介して順次受信した無線信号に基づいて画像データを再構築し、これによって、カプセル型内視鏡による被検体内の画像データを取得できる。この受信装置は、取得した画像データをメモリに順次格納する。被検体は、この無線通信機能とメモリ機能とを有する受信装置を携帯することによって、カプセル型内視鏡を飲込んでから自然排出するまでの間に亘り、自由に行動できる。その後、医者または看護士等の検査者は、受信装置のメモリに格納された画像データを画像表示装置に取り込ませ、得られた画像データに基づく被検体内の画像たとえば臓器画像を画像表示装置のディスプレイに表示させる。検査者は、ディスプレイに表示された臓器画像等を観察し、被検体の診断を行うことができる。
【０００４】
このような画像表示装置は、一般に、カプセル型内視鏡によって撮像された一連の画像を時系列に沿って順次表示するための処理機能を有している。たとえば、検査者は、被検体内の観察すべき部位の画像が表示された場合、この画像を注意深く観察するために、この画像を低速再生する操作を行う。また、検査者は、観察すべき部位以外の画像が表示された場合、被検体内の一連の画像を観察する時間を短縮するために、画像を高速再生する操作を行う。このような技術に関し、順次表示する各フレーム間での画像の類似度を測定し、得られた類似度が高い場合、表示フレームレートを高速化して類似度が高い各画像を高速に表示し、または類似度が高い画像をカットし、得られた類似度が低い場合、表示フレームレートを低速化して類似度が低い各画像を低速に表示する画像表示装置がある（特許文献１参照）。
【０００５】
【特許文献１】米国特許第６７０９３８７号明細書
【発明の開示】
【発明が解決しようとする課題】
【０００６】
しかしながら、上述した特許文献１に記載された画像表示装置では、カプセル型内視鏡によって撮像された画像として表示される被検体内の部位によらず、フレーム間で類似度が高い各画像を高速に表示するまたはカットする。したがって、この従来の画像表示装置では、被検体内の一連の画像を観察する時間を短縮する場合、出血部位または検査対象の臓器等の検査者にとって関心のある部位（関心部位）の画像を高速再生し、または関心部位の画像をカットする虞があり、観察すべき関心部位の観察を困難にする事態を招来するという問題点があった。
【０００７】
この発明は、上記事情に鑑みてなされたものであって、所望の関心部位の観察を妨げることなく、被検体内の一連の画像を観察する時間を短縮できる画像表示装置を提供することを目的とする。
【課題を解決するための手段】
【０００８】
上述した課題を解決し、目的を達成するために、請求項１にかかる画像表示装置は、時系列に沿って撮像された被検体内の一連の画像を表示する画像表示装置において、前記被検体内の所望部位の特徴を有する画像を抽出し、前記一連の画像のうちの該抽出した画像を前記所望部位の画像として特定する画像特定手段と、前記特定した所望部位の画像の表示フレームレートを該所望部位以外の画像の表示フレームレートと異なるものにするフレームレート制御手段と、を備えたことを特徴とする。
【０００９】
また、請求項２にかかる画像表示装置は、上記発明において、前記フレームレート制御手段は、前記特定した所望部位の画像の表示フレームレートを該所望部位以外の画像の表示フレームレートに比して低速にすることを特徴とする。
【００１０】
また、請求項３にかかる画像表示装置は、上記発明において、前記一連の画像の表示フレームレートを指示入力する入力手段を備え、前記フレームレート制御手段は、前記指示入力された表示フレームレートを前記一連の画像の表示フレームレートとして設定し、該設定した表示フレームレートのうち、前記所望部位の画像の表示フレームレートを該設定した表示フレームレートに比して低速に変更し、前記所望部位以外の画像の表示フレームレートを前記設定した表示フレームレートに比して高速に変更することを特徴とする。
【００１１】
また、請求項４にかかる画像表示装置は、上記発明において、前記フレームレート制御手段は、前記一連の画像のうちの前記特定した所望部位以外の画像を除外することを特徴とする。
【００１２】
また、請求項５にかかる画像表示装置は、上記発明において、前記被検体内の所望部位を選択する部位選択手段を備え、前記画像特定手段は、前記選択した所望部位の特徴を有する画像を抽出し、前記一連の画像のうちの該抽出した画像を前記所望部位の画像として特定することを特徴とする。
【００１３】
また、請求項６にかかる画像表示装置は、上記発明において、前記画像特定手段は、医学的な異常部位の特徴を有する画像をさらに抽出し、前記特定した所望部位の画像のうちの該抽出した画像を前記異常部位の画像として特定し、前記フレームレート制御手段は、前記一連の画像のうちの前記所望部位以外の画像を削除するとともに、前記特定した異常部位の画像の表示フレームレートを前記所望部位のうちの該異常部位以外の画像の表示フレームレートに比して低速にすることを特徴とする。
【００１４】
また、請求項７にかかる画像表示装置は、上記発明において、前記特定した所望部位は、前記被検体内の食道、胃、小腸、大腸、または出血部位であることを特徴とする。
【発明の効果】
【００１５】
この発明によれば、高速または標準の表示フレームレートで一連の画像を順次表示する操作を行った場合であっても、この一連の画像のうち、所望の関心部位の画像を自動的に低速で表示することができ、所望の関心部位の画像の観察を妨げることなく、被検体の一連の画像を観察する時間を短縮可能な画像表示装置を実現できるという効果を奏する。
【発明を実施するための最良の形態】
【００１６】
以下、図面を参照して、この発明にかかる画像表示装置の好適な実施の形態を詳細に説明する。なお、この実施の形態によってこの発明が限定されるものではない。
【００１７】
（実施の形態１）
図１は、この発明の実施の形態１である画像表示装置を用いたカプセル型内視鏡システムの一構成例を模式的に例示する模式図である。図１に示すように、このカプセル型内視鏡システムは、被検体１内の通過経路に沿って移動するとともに被検体１内の画像を撮像するカプセル型内視鏡２と、カプセル型内視鏡２から送信された画像データを受信する受信装置３と、カプセル型内視鏡２によって撮像された被検体１内の画像を表示する画像表示装置４と、受信装置３と画像表示装置４との間の情報の受け渡しを行うための携帯型記録媒体５とを備える。
【００１８】
カプセル型内視鏡２は、被検体１内を撮像する撮像機能と被検体１内を撮像して得られた画像データを受信装置３に送信する無線通信機能とを有する。カプセル型内視鏡２は、被検体１に飲込まれることによって被検体１内の食道を通過し、消化管腔の蠕動によって体腔内を進行する。これと同時に、カプセル型内視鏡２は、所定間隔たとえば０．５秒間隔で被検体１の体腔内の画像を逐次撮像し、得られた被検体１内の画像データを受信装置３に逐次送信する。
【００１９】
受信装置３は、受信アンテナ３ａ〜３ｈが接続され、受信アンテナ３ａ〜３ｈを用い、カプセル型内視鏡２と無線通信を行う。具体的には、受信装置３は、受信アンテナ３ａ〜３ｈのいずれかを介してカプセル型内視鏡からの無線信号を受信し、受信した無線信号をもとに被検体１内の画像データを取得する。また、受信装置３は、携帯型記録媒体５が着脱可能に装着され、カプセル型内視鏡２から逐次取得した被検体１内の画像データを携帯型記録媒体５に逐次格納する。
【００２０】
受信アンテナ３ａ〜３ｈは、たとえばループアンテナを用いて実現され、カプセル型内視鏡２から送信された無線信号を受信する。受信アンテナ３ａ〜３ｈは、図１に示すように、被検体１の体表上の所定位置たとえばカプセル型内視鏡２の通過経路に対応する位置に配置される。なお、受信アンテナ３ａ〜３ｈは、被検体１に着用させるジャケットの所定位置に配置されてもよい。この場合、受信アンテナ３ａ〜３ｈは、被検体１がこのジャケットを着用することによって、被検体１のカプセル型内視鏡２の通過経路に対応する体表上の所定位置に配置される。また、被検体１には、複数の受信アンテナが配置されればよい。この場合、受信アンテナの配置数は、特に８つに限定されない。
【００２１】
携帯型記録媒体５は、コンパクトフラッシュ（登録商標）またはスマートメディア等の携帯可能な記録メディアである。携帯型記録媒体５は、受信装置３および画像表示装置４に対して着脱可能であって、両者に対する装着時に情報の出力および記録が可能な構造を有する。具体的には、携帯型記録媒体５は、受信装置３に装着された場合、受信装置３がカプセル型内視鏡２から取得した画像データ等を逐次記憶できる。また、携帯型記録媒体５は、カプセル型内視鏡２が被検体１から排出された後、受信装置３から取り出されて画像表示装置４に装着され、記憶した画像データ等が画像表示装置４に取り込まれる。
【００２２】
画像表示装置４は、カプセル型内視鏡２によって撮像された画像等を表示するためのものであり、携帯型記録媒体５を媒介にして得られる画像データ等に基づく画像たとえば被検体１内の臓器等の画像を表示するワークステーション等のような構成を有する。また、画像表示装置４は、医者または看護士等の検査者がカプセル型内視鏡２による被検体内の画像に基づいて診断を行うための処理機能を有する。検査者は、被検体１内の画像を画像表示装置４に順次表示させ、表示された画像をもとに被検体１の関心部位を観察（検査）することによって、被検体１を診断できる。
【００２３】
図２は、画像表示装置４の一構成例を模式的に示すブロック図である。図２に示すように、画像表示装置４は、カプセル型内視鏡２によって撮像された画像を表示して観察するための各種情報を入力する入力部１１と、被検体１内の画像等の被検体１内を観察（検査）して診断するための各種情報を画面表示する表示部１２と、携帯型記録媒体５に格納された画像データ等を取り込むリーダライタ１３とを有する。また、画像表示装置４は、携帯型記録媒体５から取り込んだ画像データ等の被検体１の観察および診断に必要な各種データを格納する記憶部１４と、画像表示装置４の各構成部の駆動制御と各構成部に入出力される各種情報の入出力制御および情報処理とを行う制御部１５とを有する。
【００２４】
入力部１１は、キーボードまたはマウス等のポインティングデバイスを用いてまたはこれらの組合せによって実現され、検査者による入力操作に応じ、画像表示装置４が行う処理の指示情報および被検体１に関する各種情報を制御部１５に入力する。たとえば、入力部１１は、携帯型記録媒体５から取り込んだ画像データを記憶部１４に格納する処理を指示する指示情報、被検体内１の画像を表示部１２に表示する処理を指示する指示情報、および被検体１の名前、性別、生年月日、または患者ＩＤ等の患者情報を制御部１５に入力する。
【００２５】
表示部１２は、ＣＲＴディスプレイ、液晶ディスプレイ、有機ＥＬディスプレイ、またはプラズマディスプレイ等の各種ディスプレイを用いて実現され、制御部１５によって表示指示された各種情報を表示する。たとえば、表示部１２は、被検体１を検査し診断するための各種情報として、カプセル型内視鏡２が所定間隔たとえば０．５秒間隔で時系列に沿って撮像した被検体１内の一連の画像および患者情報等を表示する。
【００２６】
リーダライタ１３は、上述した携帯型記録媒体５を着脱可能に装着し、装着した携帯型記録媒体５との間で各種データの受け渡しを行う。具体的には、リーダライタ１３は、装着した携帯型記録媒体５に格納された情報たとえばカプセル型内視鏡２による画像データ等を取り込むとともに、得られた画像データ等を制御部１５に転送する。また、リーダライタ１３は、装着した携帯型記録媒体５に対し、制御部１５からの入力情報を記録する機能とフォーマット処理を行う機能とを有する。
【００２７】
記憶部１４は、ＲＡＭまたはＥＥＰＲＯＭ等の各種ＩＣメモリあるいはハードディスク等を用いて実現される。また、記憶部１４は、ＣＤ（Compact Disk）またはＤＶＤ（Digital Versatile  Disk）等の光ディスクあるいは光磁気ディスクを着脱可能に装着する構造を有するようにし、装着したＣＤまたはＤＶＤに対して画像データ等の読み取りまたは書き込みが可能なドライブを用いて実現してもよい。記憶部１４は、制御部１５によって格納指示された画像データ等の各種情報を自身にまたは装着した各種ディスクに格納する。また、記憶部１４は、制御部１５によって読み出し指示された自身に記憶済みの情報または装着した各種ディスクに格納された情報を読み出すとともに制御部１５に転送する。
【００２８】
制御部１５は、各種処理プログラムを実行するＣＰＵ（Central Processing Unit）と、ＣＰＵが実行する各種処理プログラム等が予め記録されたＲＯＭと、各処理の演算パラメータ等の各種情報を一時的に記憶するＲＡＭとを用いて実現される。制御部１５は、入力部１１、表示部１２、リーダライタ１３、および記憶部１４の各駆動制御、これらの各構成部に対する情報の入出力制御、およびこれらの各構成部との間で各種情報を入出力するための情報処理を行うように機能する。
【００２９】
また、制御部１５は、画像抽出部１５ａとフレームレート制御部１５ｂとを有する。画像抽出部１５ａは、被検体１の一連の画像データの中から被検体１内の関心部位の特徴を有する画像データを抽出し、検査者が観察するために低速の表示フレームレートで表示部１２に画像表示する関心部位の画像データとして、この抽出した画像データを特定する。すなわち、画像抽出部１５ａは、カプセル型内視鏡２によって撮像された一連の画像データのうちの関心部位の画像データを特定する画像特定手段として機能する。なお、この関心部位は、検査者が被検体１を観察（検査）する場合に関心のある部位であり、たとえば被検体１内の出血部位である。画像抽出部１５ａは、画像データを構成する各画素の特徴量を算出し、得られた特徴量を用いて赤色要素の有無および分布を検出し、この赤色要素の検出結果をもとに、画像データの撮像部位が出血部位であるか否かを判断する。画像抽出部１５ａは、出血部位と判断した画像データすなわち出血部位の特徴である赤色要素または色分布を有する画像データを関心部位の画像データとして抽出する。一方、フレームレート制御部１５ｂは、表示部１２に表示される画像の表示フレームレートを制御する。制御部１５は、表示部１２に対し、フレームレート制御部１５ｂによって設定された表示フレームレートで画像を順次表示する制御を行う。
【００３０】
つぎに、画像抽出部１５ａが、表示部１２に低速の表示フレームレートで画像表示する画像データとして、一連の画像データから関心部位の画像データを抽出するための処理について説明する。図３は、携帯型記録媒体５から取り込んだ一連の画像データから関心部位の画像データを抽出するための処理手順を説明するフローチャートである。図３において、制御部１５は、入力部１１から入力された指示情報に基づき、リーダライタ１３内の携帯型記録媒体５に格納された一連の画像データをフレーム毎に読み取る（ステップＳ１０１）。
【００３１】
ステップＳ１０１において制御部１５が１フレームの画像データを読み取った場合、画像抽出部１５ａは、この１フレームの画像データを構成する１つの画素の輝度を検出し、検出した輝度をもとに、この１つの画素が所定の輝度を有する画素であるか否かを判断する（ステップＳ１０２）。画像抽出部１５ａは、この１つの画素を所定の輝度を有する画素と判断した場合（ステップＳ１０２，Ｙｅｓ）、この所定の輝度を有する１つの画素の特徴量を算出する（ステップＳ１０３）。これによって、画像抽出部１５ａは、この所定の輝度を有する１つの画素の色情報を得る。その後、制御部１５は、ステップＳ１０１において読み取られた１フレームの画像データを構成する全画素に対し、ステップＳ１０２またはステップＳ１０３の処理を完了したか否かを判断する（ステップＳ１０４）。一方、画像抽出部１５ａは、この１つの画素を所定の輝度を有する画素ではないと判断した場合すなわちこの１つの画素を所定の輝度に満たない画素と判断した場合（ステップＳ１０２，Ｎｏ）、この所定の輝度を有していない１つの画素についてはその特徴量を算出する処理を行わず、制御部１５は、ステップＳ１０４以降の処理を行う。
【００３２】
その後、制御部１５は、ステップＳ１０４において、１フレームの画像データに含まれる全画素に対して上述した処理を完了していないと判断した場合（ステップＳ１０４，Ｎｏ）、画像抽出部１５ａは、上述したステップＳ１０２以降の処理を繰り返す。すなわち、画像抽出部１５ａは、ステップＳ１０１において読み取られた１フレームの画像データに対し、ステップＳ１０２〜Ｓ１０４の処理を繰り返すことによって、この１フレームの画像データに含まれる全画素のうち、所定の輝度を有する全画素の特徴量を取得できる。
【００３３】
画像抽出部１５ａがこれら所定の輝度を有する全画素の特徴量を取得した場合、制御部１５は、１フレームの画像データに含まれる全画素に対して上述した処理を完了したと判断する（ステップＳ１０４，Ｙｅｓ）。この場合、画像抽出部１５ａは、取得した全画素の特徴量をもとに、この１フレームの画像データが関心部位すなわち出血部位の画像データであるか否かを判断する（ステップＳ１０５）。このステップＳ１０５において、画像抽出部１５ａは、上述したように、取得した全画素の特徴量を用いて画像データの赤色要素の有無および分布を検出し、この検出結果をもとに、出血部位の画像データであるか否かを判断できる。具体的には、画像抽出部１５ａは、１フレームの画像データを構成する全画素のうち、赤色要素を有する画素が所定のしきい値以上含まれる場合、この１フレームの画像データを出血部位の画像データと判断する。
【００３４】
画像抽出部１５ａは、ステップＳ１０５において、１フレームの画像データを関心部位の画像データと判断した場合（ステップＳ１０５，Ｙｅｓ）、この１フレームの画像データを関心部位すなわち出血部位の画像データとして抽出でき、この抽出した画像データに低速再生マークを付与する（ステップＳ１０６）。制御部１５は、この低速再生マークが付与された画像データを記憶部１４に格納する。なお、この低速再生マークは、低速の表示フレームレートで画像表示される画像データに付与するフラグである。その後、制御部１５は、携帯型記録媒体５に格納された一連の画像データの全画像データに対し、ステップＳ１０１〜Ｓ１０６の処理を完了したか否かを判断する（ステップＳ１０７）。一方、画像抽出部１５ａは、ステップＳ１０５において、１フレームの画像データを関心部位の画像データではない判断した場合（ステップＳ１０５，Ｎｏ）、この関心部位（出血部位）ではない画像データに対しては低速再生マークを付与しない。この場合、制御部１５は、この低速再生マークが付与されていない画像データを記憶部１４に格納し、ステップＳ１０７以降の処理を行う。
【００３５】
その後、制御部１５は、ステップＳ１０７において、携帯型記録媒体５に格納された一連の画像データの全画像データに対してステップＳ１０１〜Ｓ１０６の処理を完了していないと判断した場合（ステップＳ１０７，Ｎｏ）、上述したステップＳ１０１以降の処理を繰り返す。すなわち、制御部１５がステップＳ１０１〜Ｓ１０７の処理を繰り返すことによって、画像抽出部１５ａは、携帯型記録媒体５に格納された一連の画像データの全てに対し、出血部位の画像データであるか否かを判断でき、この一連の画像データのうち、出血部位の全画像データに低速再生マークを付与できる。
【００３６】
一方、制御部１５は、ステップＳ１０７において、この一連の画像データの全画像データに対してステップＳ１０１〜Ｓ１０６の処理を完了したと判断した場合（ステップＳ１０７，Ｙｅｓ）、この一連の画像データを読み取る処理を完了する。この場合、記憶部１４は、出血部位の全画像データに低速再生マークがそれぞれ付与された一連の画像データを格納している。
【００３７】
つぎに、表示部１２の表示画面を具体的に例示し、制御部１５が被検体１の画像を表示部１２に表示させる動作について詳細に説明する。図４は、表示部１２の表示画面を具体的に例示する模式図である。検査者が入力部１１を用いてログイン操作等を行った場合、制御部１５は、図４に示すように、検査者が被検体の観察および診断等を行うための各種情報を表示するウィンドウＷ１を表示部１２に表示させる。
【００３８】
図４に示すように、ウィンドウＷ１には、カプセル型内視鏡２によって撮像された被検体１の画像を表示する主画像表示領域Ａ１と、主画像表示領域Ａ１に表示された画像から選択された所望の画像に対応するサムネイル画像を表示する副画像表示領域Ａ２とが形成される。また、ウィンドウＷ１には、主画像表示領域Ａ１の近傍に、主画像表示領域に表示する画像の各種再生操作を行うための再生操作アイコン群１００と、カプセル型内視鏡２によって撮像された一連の画像の撮像開始からの経過時間を示す時間スケールＴＳと、この時間スケールＴＳによって示される経過時間のうち、主画像表示領域Ａ１に表示された画像の撮像開始からの経過時間を指し示すスライダＳとが表示される。さらに、副画像表示領域Ａ２の近傍には、副画像表示領域Ａ２に表示されたサムネイル画像のスクロール操作を行うためのスクロールバーＢが表示される。その他、ウィンドウＷ１には、被検体１の患者ＩＤ、性別、名前、および生年月日等の患者情報と、ウィンドウＷ１を閉じる操作を行うための「閉じる」アイコン１１０とが表示される。
【００３９】
検査者は、主画像表示領域Ａ１に被検体１の画像を表示させるために、入力部１１を用い、再生操作アイコン群１００のいずれかにカーソルＫを合わせてクリックする操作を行う。入力部１１は、再生操作アイコン群１００のうち、このクリック操作によって選択されたアイコンに対応する画像表示指示情報を制御部１５に入力する。制御部１５が入力部１１からの画像表示指示情報を検知した場合、フレームレート制御部１５ｂは、主画像表示領域Ａ１に表示する画像の表示フレームレートをこの画像表示指示情報に対応する表示フレームレートに決定する。制御部１５は、フレームレート制御部１５ｂが決定した表示フレームレートで主画像表示領域Ａ１に被検体１の一連の画像を順次表示する。
【００４０】
たとえば、検査者が再生操作アイコン群１００の「再」アイコン１０１を選択するクリック操作を行った場合、入力部１１は、「再」アイコン１０１に対応する画像表示指示情報（順再生指示情報）を制御部１５に入力する。この場合、フレームレート制御部１５ｂは、この順再生指示情報をもとに、一連の画像の表示フレームレートを時系列の順方向に沿った標準の表示フレームレートに決定する。これと同様に、検査者が再生操作アイコン群１００の「コマ」アイコン１０２を選択するクリック操作を行った場合、「コマ」アイコン１０２に対応する画像表示指示情報（順コマ再生指示情報）が制御部１５に入力され、フレームレート制御部１５ｂは、この順コマ再生指示情報をもとに、一連の画像の表示フレームレートを時系列の順方向に沿った低速の表示フレームレートに決定する。また、検査者が再生操作アイコン群１００の「高再」アイコン１０３を選択するクリック操作を行った場合、「高再」アイコン１０３に対応する画像表示指示情報（順高再指示情報）が制御部１５に入力され、フレームレート制御部１５ｂは、この順高再指示情報をもとに、一連の画像の表示フレームレートを時系列の順方向に沿った高速の表示フレームレートに決定する。
【００４１】
また、検査者が再生操作アイコン群１００の「逆再」アイコン１０４を選択するクリック操作を行った場合、「逆再」アイコン１０４に対応する画像表示指示情報（逆再生指示情報）が制御部１５に入力される。この場合、フレームレート制御部１５ｂは、この逆再生指示情報をもとに、一連の画像の表示フレームレートを時系列の逆方向に沿った標準の表示フレームレートに決定する。これと同様に、検査者が再生操作アイコン群１００の「逆コマ」アイコン１０５を選択するクリック操作を行った場合、「逆コマ」アイコン１０５に対応する画像表示指示情報（逆コマ再生指示情報）が制御部１５に入力され、フレームレート制御部１５ｂは、この逆コマ再生指示情報をもとに、一連の画像の表示フレームレートを時系列の逆方向に沿った低速の表示フレームレートに決定する。また、検査者が再生操作アイコン群１００の「高逆」アイコン１０６を選択するクリック操作を行った場合、「高逆」アイコン１０６に対応する画像表示指示情報（逆高再指示情報）が制御部１５に入力され、フレームレート制御部１５ｂは、この逆高再指示情報をもとに、一連の画像の表示フレームレートを時系列の逆方向に沿った高速の表示フレームレートに決定する。
【００４２】
なお、上述した標準の表示フレームレートは、一連の画像を擬似的に動画再生できる程度の表示フレームレートである。また、上述した低速の表示フレームレートは、この標準の表示フレームレートに比して低速のものであり、この標準の表示フレームレートで各画像を再生した場合に比して、各画像の表示時間を長くする。この低速の表示フレームレートは、たとえば一連の画像をフレーム毎に容易に観察できる程度の表示フレームレートである。さらに、上述した高速の表示フレームレートは、この標準の表示フレームレートに比して高速のものであり、この標準の表示フレームレートで各画像を再生した場合に比して、各画像の表示時間を短くする。
【００４３】
制御部１５は、上述したいずれの表示フレームレートの場合であっても、表示部１２に対し、フレームレート制御部１５ｂが決定した表示フレームレートで一連の画像を順次表示する制御を行う。この場合、制御部１５は、主画像表示領域Ａ１に一度に表示する枚数が予め設定されていれば、表示部１２に対し、この設定された所望枚数の画像を主画像表示領域Ａ１に表示する制御を行う。
【００４４】
一方、検査者が再生操作アイコン群１００の「一停」アイコン１０７を選択するクリック操作を行った場合、入力部１１は、「一停」アイコン１０７に対応する画像表示指示情報（一時停止指示情報）を制御部１５に入力する。この場合、制御部１５は、この一時停止指示情報をもとに、主画像表示領域Ａ１での表示画像の切替処理を一時停止し、この「一停」アイコン１０７を選択するクリック操作が行われた時点で主画像表示領域Ａ１に表示されている画像を静止画として維持する。
【００４５】
また、制御部１５は、検査者が主画像表示領域Ａ１に表示された画像を選択するクリック操作を行った場合、表示部１２に対し、このクリック操作によって選択指示された画像に対応するサムネイル画像を副画像表示領域Ａ２に表示する制御を行う。この場合、制御部１５は、この画像を選択するクリック操作が行われる毎に、表示部１２に対し、選択された画像に対応するサムネイル画像を副画像表示領域Ａ２に逐次追加表示する制御を行う。
【００４６】
つぎに、制御部１５が、上述した低速再生マークが付与された画像データを含む一連の画像データをもとに、被検体１の一連の画像を順次表示する動作について説明する。図５は、上述した低速再生マークが付与された画像データを含む一連の画像データを順次画像表示するための処理手順を説明するフローチャートである。図６は、自動抽出した関心部位の画像データを含む一連の画像データの各表示フレームレートを設定する動作を説明するための模式図である。まず、検査者は、入力部１１を用い、主画像表示領域Ａ１に画像表示させる一連の画像データを選択する操作を行い、再生操作アイコン群１００のいずれかを選択するクリック操作を行う。この場合、制御部１５は、上述したように、再生操作アイコン群１００のいずれかに対応する画像表示指示情報を受信する。図５において、制御部１５は、この画像表示指示情報を入力部１１から受信したことをトリガーとし、記憶部１４に格納された被検体１の一連の画像データのうち、主画像表示領域Ａ１に画像表示する画像データを読み出す。この場合、制御部１５は、記憶部１４から読み出した画像データに低速再生マークが付与されているか否かを判断する（ステップＳ２０１）。
【００４７】
制御部１５は、読み出した画像データから低速再生マークを検出できなかった場合、この画像データを低速再生マークが付与されていない画像データと判断する（ステップＳ２０１，Ｎｏ）。この場合、フレームレート制御部１５ｂは、この画像データの表示フレームレートを通常設定にする（ステップＳ２０２）。すなわち、フレームレート制御部１５ｂは、低速再生マークが検出されなかった画像データの表示フレームレートを入力部１１から入力された画像表示指示情報に対応する通常の表示フレームレートに決定する。
【００４８】
一方、制御部１５は、読み出した画像データから低速再生マークを検出した場合、この画像データを低速再生マークが付与された画像データと判断する（ステップＳ２０１，Ｙｅｓ）。この場合、フレームレート制御部１５ｂは、検出された低速再生マークに基づき、この画像データの表示フレームレートを通常設定から低速設定に変更する（ステップＳ２０３）。すなわち、フレームレート制御部１５ｂは、低速再生マークが付与された画像データの表示フレームレートを上述した低速の表示フレームレートに決定する。
【００４９】
たとえば、フレームレート制御部１５ｂは、図６に示すように、一連の画像データのうち、低速再生マークが付与されていない画像データ群ＤＧ１の各画像データの表示フレームレートを通常設定にし、低速再生マークが付与された画像データＤａ，Ｄｂ（たとえば出血部位の画像データ）の各表示フレームレートを低速設定に変更し、低速再生マークが付与されていない画像データ群ＤＧ２の各画像データの表示フレームレートを通常設定にする。
【００５０】
フレームレート制御部１５ｂが画像データの表示フレームレートを決定した場合、制御部１５は、表示部１２に対し、この画像データに対応する被検体１の画像をフレームレート制御部１５ｂが決定した表示フレームレートで表示する制御を行う（ステップＳ２０４）。すなわち、制御部１５は、低速再生マークが付与されていない画像データ（たとえば画像データ群ＤＧ１，ＤＧ２の各画像データ）を主画像表示領域Ａ１に画像表示する場合、再生操作アイコン群１００のいずれかに対応する通常の表示フレームレートで画像を表示する制御を行い、低速再生マークが付与された画像データ（たとえば画像データＤａ，Ｄｂ）を主画像表示領域Ａ１に画像表示する場合、入力部１１から入力された画像表示指示情報によらず強制的に、低速の表示フレームレートで画像を表示する制御を行う。すなわち、制御部１５は、検査者のクリック操作によって「再」アイコン１０１または「高再」アイコン１０３が選択された場合であっても、低速再生マークが付与された画像データを強制的に低速の表示フレームレートで画像表示する制御を行う。これによって、低速再生マークが付与された画像データ（すなわち関心部位の画像データ）は、その他の画像データに比して画像表示される時間が長くなり、検査者が観察し易くなる。
【００５１】
その後、制御部１５は、検査者によって画像表示指定された一連の画像データに対応する全画像を主画像表示領域Ａ１に再生完了したか否かを判断する（ステップＳ２０５）。制御部１５は、画像表示指定された全画像を未だ再生完了していないと判断した場合（ステップＳ２０５，Ｎｏ）、ステップＳ２０４において画像表示した画像データに時系列的に連続するつぎの画像データを記憶部１４から読み取り（ステップＳ２０６）、読み取った画像データを用いて上述したステップＳ２０１以降の処理を繰り返す。すなわち、制御部１５は、画像表示指定された一連の全画像データのそれぞれに対して逐次、上述したステップＳ２０１以降の処理を行う。一方、制御部１５は、画像表示指定された全画像を再生完了したと判断した場合（ステップＳ２０５，Ｙｅｓ）、画像表示指定された一連の画像データを画像表示する処理を終了する。
【００５２】
なお、この発明の実施の形態１では、携帯型記録媒体５に格納された一連の画像データを取り込む際に、この一連の画像データのうち、関心部位の画像データに低速再生マークを付与していたが、この発明はこれに限定されるものではなく、記憶部１４に格納された一連の画像データに対し、関心部位の画像データであれば低速再生マークを付与する処理を行ってもよい。また、一連の画像データを順次画像表示する際に略リアルタイムに、この一連の画像データに対してこの低速再生マークを付与する処理を行ってもよい。すなわち、記憶部１４に格納された一連の画像データを順次画像表示する際に、この画像表示対象の一連の画像データのうち、画像表示前の所望フレーム数たとえば５フレーム程度の画像データを逐次先行して読み出し、読み出した所望フレーム数の画像データに対し、関心部位の画像データであれば低速再生マークを付与する処理を行ってもよい。
【００５３】
また、この発明の実施の形態１では、検査者が関心を持つ関心部位として出血部位を例示し、一連の画像データのうち、出血部位の画像データを低速の表示フレームレートで画像表示するようにしていたが、この発明はこれに限定されるものではなく、関心部位を腫瘍等の病変部位または観察対象の所望の臓器とし、一連の画像データのうち、病変部位または観察対象の所望の部位の画像データを低速の表示フレームレートで画像表示してもよい。この場合、病変部位または観察対象の所望の部位の画像データは、その画素の特徴量をもとに、一連の画像データから抽出できる。
【００５４】
さらに、この発明の実施の形態１では、低速再生マークが付与された画像データを「コマ」アイコン１０２または「逆コマ」アイコン１０５に対応する通常設定での低速の表示フレームレートと同じ表示フレームレートで画像表示するようにしていたが、この発明はこれに限定されるものではなく、低速再生マークが付与された画像データを通常設定すなわち再生操作アイコン群１００で設定された表示フレームレートに比して常に低速の表示フレームレートで画像表示してもよい。この場合、通常設定の表示フレームレートを一定の比率たとえば１／２の比率で低速化したものを低速再生マークが付与された画像データの表示フレームレートに決定してもよい。高速、標準、および低速の各表示フレームレートに応じて変更する多段の比率を設定し、通常設定の表示フレームレートを多段の比率たとえば高速の場合に１／４の比率、標準の場合に１／３の比率、低速の場合に１／２の比率で低速化したものを低速再生マークが付与された画像データの表示フレームレートに決定してもよい。
【００５５】
また、この発明の実施の形態１では、出血部位等の関心部位の画像のみを関心部位以外の画像に比して低速の表示フレームレートで表示するようにしていたが、この発明はこれに限定されるものではなく、関心部位の画像に対して時間的に直前および直後の少なくとも一方の画像の表示フレームレートをこの関心部位の画像と同じ表示フレームレートに変更し、関心部位の画像のみならず、この関心部位の画像に対して時間的に直前および直後の少なくとも一方の画像も低速で表示するようにしてもよい。この場合、画像抽出部１５ａは、抽出した関心部位の画像データに対して時間的に直前および直後の少なくとも一方の画像データに低速再生マークを付与すればよい。
【００５６】
さらに、この発明の実施の形態１では、出血部位等の関心部位の画像を通常の表示フレームレートに比して低速の表示フレームレートにすることによって、関心部位以外の画像の表示フレームレートに比して低速の表示フレームレートで関心部位の画像を表示するようにしていたが、この発明はこれに限定されるものではなく、関心部位以外の画像の表示フレームレートを通常の表示フレームレートに比して高速にすることによって、関心部位の表示フレームレートを関心部位以外の表示フレームレートに比して相対的に低速にしてもよい。
【００５７】
以上、説明したように、この発明の実施の形態１では、画像表示対象の一連の画像データのうち、出血部位等の関心部位が撮像された画像データの表示フレームレートを通常設定での表示フレームレートに比して自動的に低速に変更し、この一連の画像データを順次画像表示する場合に、関心部位の画像データを強制的に、より低速で画像表示するように構成した。これによって、一連の画像データを順次画像表示する場合の通常設定での表示フレームレートを高速または標準に設定した場合であっても、関心部位の画像データを自動的に低速で画像表示することができ、関心部位が撮像された画像の観察を妨げることなく、被検体の一連の画像を観察する時間を短縮可能な画像表示装置を実現することができる。
【００５８】
検査者は、この発明にかかる画像表示装置を用いることによって、被検体の一連の画像のうち、関心部位が撮像された画像およびそれに近似した画像すなわち観察すべき画像を自動的に低速表示することができる。これによって、検査者は、低速表示された観察すべき画像に絞り込んで被検体の観察（検査）を行うことができ、この一連の画像を効率的に観察できるともに、関心部位の画像の観察を容易にし、被検体を的確に診断することができる。
【００５９】
（実施の形態２）
つぎに、この発明の実施の形態２について詳細に説明する。上述した実施の形態１では、被検体の一連の画像のうち、予め決められた一定の関心部位の画像を低速で表示するようにしていたが、この実施の形態２では、被検体内の各部位の選択肢のうちの所望の関心部位を選択できるようにしている。
【００６０】
図７は、この発明の実施の形態２である画像表示装置の一構成例を模式的に示すブロック図である。この画像表示装置２１は、実施の形態１の画像表示装置４の制御部１５に代えて制御部２２が設けられる。制御部２２は、実施の形態１の画像抽出部１５ａに代えて画像抽出部２２ａが設けられる。その他の構成は実施の形態１と同じであり、同一構成部分には同一符号を付している。
【００６１】
制御部２２は、上述した制御部１５とほぼ同様に機能し、画像抽出部２２ａ、フレームレート制御部１５ｂ、および部位選択部２２ｃを有する。画像抽出部２２ａは、被検体１の一連の画像データのうち、部位選択部２２ｃによって択一的に決定された関心部位の画像データを抽出し、抽出した画像データに上述した低速再生マークを付与する。この場合、画像抽出部２２ａは、画像データを構成する各画素の特徴量をもとに、画像データの撮像部位を特定する。たとえば、画像抽出部２２ａは、画像データの赤色要素の有無および分布をもとに、画像データの撮像部位が出血部位であるか否かを判断し、この判断結果に基づいてこの撮像部位を出血部位と特定する。また、画像抽出部２２ａは、画像データの平均色および１フレームに含まれる所定色の画素の数量等の色情報に関する統計量をもとに、画像データの撮像部位がいずれの臓器たとえば食道、胃、小腸、または大腸であるかを判断し、この撮像部位をこの判断結果に基づく臓器と特定する。
【００６２】
また、部位選択部２２ｃは、予め設定された被検体の各部位の選択肢のうち、検査者が入力部１１を用いて択一的に指定した部位を画像表示対象の関心部位（再生部位）として選択する。図８は、被検体の各部位のうちの再生部位を選択するための処理手順を説明するフローチャートである。図９は、被検体の各部位の選択肢のうちの再生部位を選択するための表示画面を具体的に例示する模式図である。
【００６３】
図８および図９において、制御部２２は、表示部１２に対し、ウィンドウＷ１の所定の表示領域に「再生部位選択」アイコン１２０をさらに表示する制御を行う。ここで、検査者が、入力部１１を用い、カーソルＫを「再生部位選択」アイコン１２０に合わせてクリックする操作すなわち「再生部位選択」アイコン１２０を選択するクリック操作を行った場合、入力部１１は、再生部位の選択処理を開始指示する指示情報（選択開始情報）を制御部２２に入力する。制御部２２は、選択開始情報を常時監視し、選択開始情報が入力部１１から入力された場合、この選択開始情報を検知し（ステップＳ３０１，Ｙｅｓ）、表示部１２に対し、再生部位の選択ウィンドウＷ２を開く制御を行う（ステップＳ３０２）。なお、制御部２２は、選択開始情報を検知していない場合（ステップＳ３０１，Ｎｏ）、ステップＳ３０１の処理を繰り返し、選択開始情報を監視する。
【００６４】
選択ウィンドウＷ２には、図９に示すように、被検体の各部位の選択肢２００、「ＯＫ」アイコン２０１、および「キャンセル」アイコン２０２が表示される。検査者は、入力部１１を用い、選択肢２００の中から再生部位を選択する入力操作を行うことによって、選択した再生部位に対応する部位選択情報を制御部２２に入力できる。たとえば、検査者は、選択肢２００の「小腸」にカーソルＫを合わせてクリックし、続いて「ＯＫ」アイコン２０１にカーソルＫを合わせてクリックすることによって、再生部位として択一的に指定した「小腸」に対応する部位選択情報を制御部２２に入力できる。
【００６５】
制御部２２は、選択ウィンドウＷ２を表示部１２に表示させた場合、上述した部位選択情報を監視する。制御部２２は、部位選択情報が入力部１１から入力された場合、この部位選択情報を検知する（ステップＳ３０３，Ｙｅｓ）。この場合、部位選択部２２ｃは、被検体の各部位の選択肢たとえば食道、胃、小腸、大腸、および出血部位の中から、ステップＳ３０３において検知された部位選択情報に対応する部位を再生部位として選択し（ステップＳ３０５）、選択した再生部位を記憶する。その後、制御部２２は、表示部１２に対して選択ウィンドウＷ２を閉じる制御を行い（ステップＳ３０６）、再生部位の選択処理を完了する。
【００６６】
一方、検査者は、再生部位を選択せずに選択ウィンドウＷ２を閉じる場合、入力部１１を用い、「キャンセル」アイコン２０２を選択する入力操作を行う。この入力操作によって、再生部位を選択せずに選択ウィンドウＷ２を閉じるための指示情報（キャンセル指示情報）が制御部２２に入力される。この場合、制御部２２は、ステップＳ３０３において部位選択情報を検知せず（ステップＳ３０３，Ｎｏ）、入力部１１から入力されたキャンセル指示情報を検知する（ステップＳ３０４，Ｙｅｓ）。その後、制御部２２は、上述したステップＳ３０５の処理を行わずにステップＳ３０６の処理を行う。なお、制御部２２は、選択ウィンドウＷ２が画面上に開いている状態において、キャンセル指示情報が入力されていなければ、キャンセル指示情報を検知せず（ステップＳ３０４，Ｎｏ）、上述したステップＳ３０３以降の処理を繰り返す。
【００６７】
つぎに、被検体１の一連の画像データのうち、部位選択部２２ｃによって選択された再生部位の画像データに上述した低速再生マークを付与する処理について説明する。図１０は、部位選択部２２ｃによって選択された再生部位の画像データに低速再生マークを付与するための処理手順を説明するフローチャートである。図１０において、制御部２２は、上述した再生部位が部位選択部２２ｃによって選択されたか否かを判断する（ステップＳ４０１）。制御部２２は、再生部位が選択されていないと判断した場合（ステップＳ４０１，Ｎｏ）、このステップＳ４０１を繰り返し、再生部位が選択されたと判断した場合（ステップＳ４０１，Ｙｅｓ）、携帯型記録媒体５または記憶部１４に格納された被検体１の一連の画像データを用いて上述したステップＳ１０１〜Ｓ１０４と同様の処理を行い、読み取った１フレームの画像データを構成する各画素の特徴量を取得する（ステップＳ４０２〜Ｓ４０５）。
【００６８】
画像抽出部２２ａは、これら各画素の特徴量を取得した場合、取得した特徴量をもとに、この１フレームの画像データの撮像部位を特定する（ステップＳ４０６）。画像抽出部２２ａは、このステップＳ４０６の処理を行って、この撮像部位を上述した選択肢２００たとえば食道、胃、小腸、大腸、および出血部位のいずれかに特定する。
【００６９】
つぎに、画像抽出部２２ａは、ステップＳ４０６において特定した画像データの撮像部位と部位選択部２２ｃによって選択された再生部位とが一致するか否かを判断する（ステップＳ４０７）。画像抽出部２２ａは、この画像データの撮像部位と選択された再生部位とが一致すると判断した場合、この撮像部位が特定された画像データを再生部位の画像データと判断して抽出し（ステップＳ４０７，Ｙｅｓ）、抽出した再生部位の画像データに低速再生マークを付与する（ステップＳ４０８）。制御部２２は、この低速再生マークが付与された画像データを記憶部１４に格納する。
【００７０】
一方、画像抽出部２２ａは、この画像データの撮像部位と選択された再生部位とが一致しないと判断した場合、この撮像部位が特定された画像データを再生部位の画像データではないと判断する（ステップＳ４０７，Ｙｅｓ）。この場合、画像抽出部２２ａは、この再生部位と異なる画像データを低速再生マークが付与されていない状態（マーク無状態）に更新する（ステップＳ４０９）。すなわち、画像抽出部２２ａは、再生部位と異なる画像データに対し、低速再生マークを付与せず、または予め付与された低速再生マークを消去する。
【００７１】
その後、制御部２２は、被検体１の一連の画像データの全画像データに対し、ステップＳ４０２〜Ｓ４０９の処理を完了したか否かを判断する（ステップＳ４１０）。制御部２２ａは、ステップＳ４１０において、被検体１の全画像データに対してステップＳ４０２〜Ｓ４０９の処理を完了していないと判断した場合（ステップＳ４１０，Ｎｏ）、上述したステップＳ４０２以降の処理を繰り返す。すなわち、制御部２２ａがステップＳ４０２〜Ｓ４１０の処理を繰り返すことによって、画像抽出部２２ａは、被検体１の一連の画像データの各撮像部位を特定でき、この一連の画像データのうち、再生部位の全画像データに低速再生マークを付与できる。
【００７２】
一方、制御部２２は、ステップＳ４１０において、被検体１の一連の画像データの全画像データに対してステップＳ４０２〜Ｓ４０９の処理を完了したと判断した場合（ステップＳ４１０，Ｙｅｓ）、この一連の画像データを読み取る処理を完了する。この場合、記憶部１４は、再生部位の全画像データのみに低速再生マークがそれぞれ付与された一連の画像データを格納している。
【００７３】
つぎに、制御部２２は、入力部１１から入力された画像表示指示情報をトリガーとして、記憶部１４に格納された被検体１の一連の画像データのうち、主画像表示領域Ａ１に画像表示する画像データを読み出し、上述したステップＳ２０１〜Ｓ２０６と同様の処理を行う。この場合、フレームレート制御部１５ｂは、画像表示対象の一連の画像データのうち、低速再生マークが付与されていない画像データすなわち再生部位以外の画像データの表示フレームレートを通常設定にし、低速再生マークが付与された画像データすなわち再生部位の画像データの表示フレームレートを通常設定から低速設定に変更する。
【００７４】
図１１は、再生部位の画像データを含む一連の画像データの各表示フレームレートを設定する動作を説明するための模式図である。フレームレート制御部１５ｂは、たとえば図１１に示すように、被検体１の一連の画像データのうち、低速再生マークが付与されていない再生部位以外の画像データ群ＤＧ３の各画像データの表示フレームレートを通常設定にし、低速再生マークが付与された再生部位の画像データ群ＤＧ４の各表示フレームレートを低速設定に変更し、低速再生マークが付与されていない再生部位以外の画像データ群ＤＧ５の各画像データの表示フレームレートを通常設定にする。
【００７５】
制御部２２は、表示部１２に対し、フレームレート制御部１５ｂが決定した表示フレームレートで被検体１の一連の画像を表示する制御を行う。すなわち、制御部２２は、低速再生マークが付与されていない画像データ（たとえば再生部位以外の画像データ群ＤＧ３，ＤＧ５の各画像データ）を主画像表示領域Ａ１に画像表示する場合、再生操作アイコン群１００のいずれかに対応する通常の表示フレームレートで画像を表示する制御を行い、低速再生マークが付与された画像データ（たとえば再生部位の画像データ群ＤＧ４の各画像データ）を主画像表示領域Ａ１に画像表示する場合、入力部１１から入力された画像表示指示情報によらず強制的に、低速の表示フレームレートで画像を表示する制御を行う。これによって、低速再生マークが付与された画像データ（すなわち再生部位の画像データ）は、その他の画像データに比して画像表示される時間が長くなり、検査者が観察し易くなる。
【００７６】
なお、この発明の実施の形態２では、再生部位が選択されたことをトリガーとして、被検体１の一連の画像データのうちの再生部位の画像データのみに低速再生マークを付与するようにしていたが、この発明はこれに限定されるものではなく、また、画像表示する際に略リアルタイムに、一連の画像データに対してこの低速再生マークを付与する処理を行ってもよい。すなわち、被検体１の一連の画像データを順次画像表示する際に、まず、この一連の画像データに対して再生部位の選択が行われているか否かを確認し、再生部位の選択が行われていれば、この一連の画像データのうち、画像表示前の所望フレーム数たとえば５フレーム程度の画像データを逐次先行して読み出し、読み出した所望フレーム数の画像データに対し、再生部位の画像データであれば低速再生マークを付与する処理を行ってもよい。
【００７７】
また、この発明の実施の形態２では、再生部位を選択するための選択肢として、胃、食道、小腸、大腸、および出血部位を例示したが、この発明はこれに限定されるものではなく、この選択肢としては、所望の関心部位が設定されていればよく、たとえば被検体の臓器および出血部位は勿論、腫瘍等の病変部位をさらに加えてもよい。
【００７８】
さらに、この発明の実施の形態２では、画像表示対象の関心部位である再生部位を選択し、選択した再生部位の画像を低速の表示フレームレートで表示していたが、この発明はこれに限定されるものではなく、被検体内の部位の選択肢のうち、検査する上で関心のない部位を選択し、選択した部位の画像を関心部位の画像に比して高速の表示フレームレートで表示するようにしてもよい。
【００７９】
また、この発明の実施の形態２では、選択された再生部位の画像のみを他の画像に比して低速の表示フレームレートで表示するようにしていたが、この発明はこれに限定されるものではなく、再生部位の画像に対して時間的に直前および直後の少なくとも一方の画像の表示フレームレートをこの再生部位の画像と同じ表示フレームレートに変更し、再生部位の画像のみならず、この再生部位の画像に対して時間的に直前および直後の少なくとも一方の画像も低速で表示するようにしてもよい。この場合、画像抽出部２２ａは、抽出した再生部位の画像データに対して時間的に直前および直後の少なくとも一方の画像データに低速再生マークを付与すればよい。
【００８０】
以上、説明したように、この発明の実施の形態２では、上述した実施の形態１の機能および構成に加え、低速で画像表示する関心部位を再生部位として選択できるようにし、被検体の一連の画像を順次表示する場合に、選択した再生部位の画像を強制的に、より低速で表示するように構成した。したがって、上述した実施の形態１の作用効果を享受するとともに、低速で画像表示する関心部位を所望の関心部位に容易に切り替えることができ、選択した所望の関心部位の画像の観察を妨げることなく、被検体の一連の画像を観察する時間を短縮可能な画像表示装置を実現することができる。
【００８１】
（実施の形態３）
つぎに、この発明の実施の形態３について詳細に説明する。上述した実施の形態２では、被検体の一連の画像のうち、選択された再生部位の画像を低速で表示し、この再生部位以外の画像を再生操作アイコン群１００のいずれかに対応する通常設定の表示フレームレートで表示するようにしていたが、この実施の形態３では、選択された再生部位以外の画像の表示フレームレートを高速に変更するようにしている。
【００８２】
図１２は、この発明の実施の形態３である画像表示装置の一構成例を模式的に示すブロック図である。この画像表示装置３１は、実施の形態２の画像表示装置２１の制御部２２に代えて制御部３２が設けられる。制御部３２は、実施の形態２の画像抽出部２２ａに代えて画像抽出部３２ａが設けられ、フレームレート制御部１５ｂに代えてフレームレート制御部３２ｂが設けられる。その他の構成は実施の形態２と同じであり、同一構成部分には同一符号を付している。
【００８３】
制御部３２は、上述した制御部２２とほぼ同様に機能し、画像抽出部３２ａ、フレームレート制御部３２ｂ、および部位選択部２２ｃを有する。画像抽出部３２ａは、上述した画像抽出部２２ａとほぼ同様に機能し、部位選択部２２ｃによって選択された再生部位以外の画像データに対して高速再生マークを付与する。この高速再生マークは、高速の表示フレームレートで画像表示される画像データに付与するフラグである。また、フレームレート制御部３２ｂは、上述したフレームレート制御部１５ｂとほぼ同様に機能し、この高速再生マークが付与された画像データの表示フレームレートを上述した高速の表示フレームレートに変更する機能をさらに有する。
【００８４】
図１３は、再生部位が選択された一連の画像データの各画像データに低速再生マークまたは高速再生マークを付与するための処理手順を説明するフローチャートである。画像抽出部３２ａは、被検体１の一連の画像データに対して再生部位が選択された場合、この再生部位が選択された一連の画像データのうち、再生部位の全画像データに低速再生マークをそれぞれ付与し、再生部位以外の全画像データに高速再生マークをそれぞれ付与する。すなわち、図１３において、制御部３２は、上述したステップＳ４０１〜Ｓ４１０とほぼ同様の処理を行い（ステップＳ５０１〜Ｓ５１０）、低速再生マークがそれぞれ付与された再生部位の全画像データと高速再生マークがそれぞれ付与された再生部位以外の全画像データとによって構成される被検体１の一連の画像データを取得する。この場合、画像抽出部３２ａは、上述したステップＳ４０９に代えて再生部位以外の画像データに高速再生マークを付与する処理（ステップＳ５０９）を行う。
【００８５】
図１４は、再生部位が択一的に指定された一連の画像データまたは再生部位が指定されていない一連の画像データを順次画像表示するための処理手順を説明するフローチャートである。図１５は、再生部位であるか否かに対応して一連の画像データの各表示フレームレートを低速設定または高速設定にする動作を説明するための模式図である。図１４において、制御部３２は、上述したステップＳ２０１と同様に、読み出した１フレームの画像データに低速再生マークが付与されているか否かを判断する（ステップＳ６０１）。制御部３２が画像データに低速再生マークが付与されていると判断した場合（ステップＳ６０１，Ｙｅｓ）、フレームレート制御部３２ｂは、上述したステップＳ２０３と同様に、この低速再生マークが付与された画像データの表示フレームレートを低速設定に変更する（ステップＳ６０２）。
【００８６】
一方、制御部３２は、画像データに低速再生マークが付与されていないと判断した場合（ステップＳ６０１，Ｎｏ）、この画像データに高速再生マークが付与されているか否かを判断する（ステップＳ６０３）。制御部３２が、この画像データに高速再生マークが付与されていないと判断した場合（ステップＳ６０３，Ｎｏ）、フレームレート制御部３２ｂは、上述したステップＳ２０２と同様に、この低速再生マークおよび高速再生マークのいずれも付与されていない画像データの表示フレームレートを通常設定にする（ステップＳ６０４）。なお、このステップ６０４は、再生部位が選択されていない一連の画像データ（すなわち指定の再生部位とそれ以外の部位との区別がなされていない一連の画像データ）を画像表示するときにのみ寄与する。また、制御部３２が、この画像データに高速再生マークが付与されていると判断した場合（ステップＳ６０３，Ｙｅｓ）、フレームレート制御部３２ｂは、この高速再生マークが付与された画像データの表示フレームレートを通常設定から高速設定に変更する（ステップＳ６０５）。すなわち、フレームレート制御部３２ｂは、高速再生マークが付与された画像データの表示フレームレートを上述した高速の表示フレームレートに決定する。
【００８７】
たとえば、フレームレート制御部３２ｂは、図１５に示すように、被検体１の一連の画像データのうち、高速再生マークが付与された再生部位以外の画像データ群ＤＧ３の各画像データの表示フレームレートを高速設定に変更し、低速再生マークが付与された再生部位の画像データ群ＤＧ４の各表示フレームレートを低速設定に変更し、高速再生マークが付与された画像データ群ＤＧ５の各画像データの表示フレームレートを高速設定にする。
【００８８】
フレームレート制御部３２ｂが画像データの表示フレームレートを低速設定、高速設定、または通常設定に決定した場合、制御部３２は、上述したステップＳ２０４とほぼ同様に、表示部１２に対し、この画像データに対応する被検体１の画像をフレームレート制御部３２ｂが決定した表示フレームレートで表示する制御を行う（ステップＳ６０６）。この場合、制御部３２は、高速再生マークが付与された画像データ（たとえば再生部位以外の画像データ群ＤＧ３，ＤＧ５の各画像データ）を主画像表示領域Ａ１に画像表示する場合、入力部１１から入力された画像表示指示情報によらず強制的に、高速の表示フレームレートで画像を表示する制御を行う。また、制御部３２は、上述したように、低速再生マークが付与された画像データ（たとえば再生部位の画像データ群ＤＧ４の各画像データ）を主画像表示領域Ａ１に画像表示する場合、入力部１１から入力された画像表示指示情報によらず強制的に、低速の表示フレームレートで画像を表示する制御を行う。
【００８９】
その後、制御部３２は、上述したステップＳ２０５と同様に、被検体１の一連の全画像が再生完了したか否かを判断し、未だ再生完了していないと判断した場合、上述したステップＳ２０６と同様に、時系列的に連続するつぎの画像データを読み取り、ステップＳ６０１以降の処理を繰り返す（ステップＳ６０７，Ｓ６０８）。これによって、制御部３２は、再生部位が択一的に指定された一連の画像データのうち、選択された再生部位の全画像データ（たとえば画像データ群ＤＧ４の全画像データ）を通常設定に比して低速の表示フレームレートで順次画像表示でき、この再生部位以外の全画像データ（たとえば画像データ群ＤＧ３，ＤＧ５の全画像データ）を再生部位の画像データに比して高速の表示フレームレートで順次画像表示できる。すなわち、低速再生マークが付与された画像データ（たとえば再生部位の画像データ）は、その他の画像データに比して画像表示される時間が長くなり、検査者が観察し易くなる。また、高速再生マークが付与された画像データは、その他の画像データに比して画像表示される時間が短くなり、その観察時間が短縮される。なお、制御部３２は、再生部位が指定されていない一連の全画像データを通常設定の表示フレームレートで順次画像表示できる。
【００９０】
なお、この発明の実施の形態３では、再生部位が択一的に指定された一連の画像のうち、この再生部位以外の画像を高速の表示フレームレートで表示するようにしていたが、この発明はこれに限定されるものではなく、この再生部位以外の画像を表示対象の一連の画像から削除すなわち画像カットしてもよい。この場合、画像抽出部３２ａは、上述したステップＳ５０１〜Ｓ５１０において、ステップＳ５０９の処理に代えて再生部位以外の画像データにスキップマークを付与する処理を行う。これによって、制御部３２は、低速再生マークがそれぞれ付与された再生部位の全画像データとスキップマークがそれぞれ付与された再生部位以外の全画像データとによって構成される被検体１の一連の画像データを取得できる。なお、このスキップマークは、画像表示する一連の画像データのうちの画像カット対象の画像データに付与するフラグである。
【００９１】
図１６は、再生部位が択一的に指定された一連の画像データまたは再生部位が指定されていない一連の画像データを順次画像表示するための処理手順の変形例を説明するフローチャートである。図１７は、再生部位の画像データの表示フレームレートを低速設定にし、再生部位以外の画像データを削除する動作を説明するための模式図である。図１６において、制御部３２は、上述したステップＳ６０１と同様の処理を行い、フレームレート制御部３２ｂは、上述したステップＳ６０２と同様に、低速再生マークが付与された画像データの表示フレームレートを低速設定に変更する（ステップＳ７０１，Ｓ７０２）。また、制御部３２は、画像データに低速再生マークが付与されていないと判断した場合（ステップＳ７０１，Ｎｏ）、この画像データにスキップマークが付与されているか否かを判断する（ステップＳ７０３）。フレームレート制御部３２ｂは、この画像データにスキップマークが付与されて否ければ（ステップＳ７０３，Ｎｏ）、この画像データの表示フレームレートを通常設定にする（ステップＳ７０４）。
【００９２】
その後、制御部３２は、上述したステップＳ６０６〜Ｓ６０８とほぼ同様の処理を行い、フレームレート制御部３２ｂによって決定された表示フレームレートで画像データを画像表示する制御を順次行う（ステップＳ７０５〜Ｓ７０７）。一方、制御部３２が、画像データにスキップマークが付与されていると判断した場合（ステップＳ７０３，Ｙｅｓ）、フレームレート制御部３２ｂは、このスキップマークが付与された画像データを画像表示対象の一連の画像データから削除する処理を行う。この画像データを削除する処理において、フレームレート制御部３２ｂは、表示対象の一連の画像データのうち、スキップマークが付与された画像データを所定のフレーム数毎に間引くように削除してもよいし、スキップマークが付与された全画像データを表示対象から除外してもよい。この画像データを削除する処理に基づき、制御部３２は、このスキップマークが付与された画像データに対し、表示部１２に画像表示させる処理（ステップＳ７０５）を行わずにステップＳ７０６以降の処理を行う。
【００９３】
たとえば、フレームレート制御部３２ｂは、図１７に示すように、被検体１の一連の画像データのうち、スキップマークが付与された再生部位以外の画像データ群ＤＧ３を画像表示対象から除外する処理を行い、低速再生マークが付与された再生部位の画像データ群ＤＧ４の各表示フレームレートを低速設定に変更し、スキップマークが付与された再生部位以外の画像データ群ＤＧ５を画像表示対象から除外する処理を行う。この場合、制御部３２は、入力部１１から入力された画像表示指示情報によらず強制的に、スキップマークが付与された全画像データ（たとえば再生部位以外の画像データ群ＤＧ３，ＤＧ５）を表示部１２に表示させない（すなわち画像カットする）。また、制御部３２は、上述したように、低速再生マークが付与された画像データ（たとえば再生部位の画像データ群ＤＧ４の各画像データ）を主画像表示領域Ａ１に画像表示する場合、表示部１２に対し、入力部１１から入力された画像表示指示情報によらず強制的に、低速の表示フレームレートで画像を表示する制御を行う。
【００９４】
また、この発明の実施の形態３では、画像表示対象の関心部位である再生部位を選択し、選択した再生部位の画像を低速の表示フレームレートで表示していたが、この発明はこれに限定されるものではなく、被検体内の部位の選択肢のうち、検査する上で関心のない部位を選択し、選択した部位の画像を関心部位の画像に比して高速の表示フレームレートで表示してもよいし、選択した部位の画像を表示対象から除外すなわち画像カットしてもよい。
【００９５】
以上、説明したように、この発明の実施の形態３では、上述した実施の形態２の機能および構成に加え、選択された再生部位以外の画像の表示フレームレートを自動的に高速に変更するようにし、被検体の一連の画像を順次表示する場合に、選択した再生部位の画像を強制的に、より低速で表示するとともに、この再生部位以外の画像を高速で表示するように構成した。したがって、上述した実施の形態２の作用効果を享受するとともに、関心部位以外の画像すなわち観察対象部位以外の画像が順次表示される時間を容易に短縮でき、選択した所望の関心部位の画像の観察を妨げることなく、被検体の一連の画像を観察する時間をさらに短縮可能な画像表示装置を実現することができる。
【００９６】
また、選択された再生部位以外の画像を表示対象の一連の画像から自動的に削除するようにし、被検体の一連の画像を順次表示する場合に、選択した再生部位の画像を強制的に、より低速で表示するとともに、この再生部位以外の画像を表示しないすなわち画像カットするように構成した。したがって、被検体の一連の画像を表示する場合に、関心部位以外の画像すなわち観察対象部位以外の画像を容易に画像カットでき、これによって、選択した所望の関心部位の画像から表示し始めることができ、上述した実施の形態２の作用効果を享受するとともに、被検体の一連の画像を観察する時間をさらに短縮可能な画像表示装置を実現することができる。
【００９７】
（実施の形態４）
つぎに、この発明の実施の形態４について詳細に説明する。上述した実施の形態３では、被検体の一連の画像のうち、選択された再生部位の画像を低速で表示し、この再生部位以外の画像を高速で表示するようにしていたが、この実施の形態４では、選択された再生部位の画像のみを表示するようにし、さらに、この再生部位の画像のうち、出血部位の画像を低速で表示するとともに出血部位以外の画像を高速で表示するようにしている。
【００９８】
図１８は、この発明の実施の形態４である画像表示装置の一構成例を模式的に示すブロック図である。この画像表示装置４１は、実施の形態３の画像表示装置３１の制御部３２に代えて制御部４２が設けられる。制御部４２は、実施の形態３の画像抽出部３２ａに代えて画像抽出部４２ａが設けられ、フレームレート制御部３２ｂに代えてフレームレート制御部４２ｂが設けられる。その他の構成は実施の形態３と同じであり、同一構成部分には同一符号を付している。
【００９９】
制御部４２は、上述した制御部３２とほぼ同様に機能し、画像抽出部４２ａ、フレームレート制御部４２ｂ、および部位選択部２２ｃを有する。画像抽出部４２ａは、上述した画像抽出部３２ａとほぼ同様に機能し、部位選択部２２ｃによって選択された再生部位の画像データのうち、出血部位の画像データに対して低速再生マークを付与し、出血部位以外の画像データに対して高速再生マークを付与する。また、画像抽出部４２ａは、この選択された再生部位以外の画像データに対してスキップマークを付与する。一方、フレームレート制御部４２ｂは、上述したフレームレート制御部３２ｂとほぼ同様に機能し、高速再生マークが付与された画像データの表示フレームレートを上述した高速の表示フレームレートに変更し、かつスキップマークが付与された画像データを画像表示対象の一連の画像データから削除する処理を行う機能を有する。
【０１００】
図１９は、再生部位が選択された一連の画像データの各画像データに低速再生マーク、高速再生マーク、またはスキップマークを付与するための処理手順を説明するフローチャートである。画像抽出部４２ａは、被検体１の一連の画像データに対して再生部位が選択された場合、この再生部位が選択された一連の画像データのうち、この再生部位以外の全画像データにスキップマークをそれぞれ付与する。また、画像抽出部４２ａは、この再生部位の全画像データのうち、出血部位の全画像データに低速再生マークをそれぞれ付与し、出血部位以外の全画像データに高速再生マークをそれぞれ付与する。すなわち、図１９において、制御部４２および画像抽出部４２ａは、上述したステップＳ５０１〜Ｓ５０７と同様の処理を行って、画像データの撮像部位をそれぞれ特定し、撮像部位を特定した画像データが再生部位の画像データであるか否かを判断する（ステップＳ８０１〜Ｓ８０７）。
【０１０１】
つぎに、画像抽出部４２ａは、この撮像部位を特定した画像データを再生部位以外の画像データと判断した場合（ステップＳ８０７，Ｎｏ）、この再生部位以外の画像データに対してスキップマークを付与する（ステップＳ８０８）。一方、画像抽出部４２ａは、この撮像部位を特定した画像データを再生部位の画像データと判断し（ステップＳ８０７，Ｙｅｓ）、かつ、この再生部位の画像データを出血部位の画像データと判断した場合（ステップＳ８０９，Ｙｅｓ）、この出血部位の画像データに低速再生マークを付与する（ステップＳ８１０）。また、画像抽出部４２ａは、この再生部位の画像データを出血部位以外の画像データと判断した場合（ステップＳ８０９，Ｎｏ）、この出血部位以外の画像データに高速再生マークを付与する（ステップＳ８１１）。
【０１０２】
その後、制御部４２は、上述したステップＳ５１０と同様の処理を行い（ステップＳ８１２）、被検体１の一連の画像データの全てに対してステップＳ８０１〜Ｓ８１２の処理を繰り返す。これによって、制御部４２は、スキップマークが付与された再生部位以外の画像データと低速再生マークまたは高速再生マークが付与された再生部位の画像データとによって構成された一連の画像データを取得できる。ここで、この再生部位の画像データは、低速再生マークが付与された出血部位の画像データと高速再生マークが付与された出血部位以外の画像データとによって構成される。
【０１０３】
図２０は、再生部位が択一的に指定された一連の画像データまたは再生部位が指定されていない一連の画像データを順次画像表示するための処理手順を説明するフローチャートである。図２１は、再生部位の画像データの表示フレームレートを低速設定または高速設定にし、再生部位以外の画像データを削除する動作を説明するための模式図である。図２０において、制御部４２およびフレームレート制御部４２ｂは、上述したステップＳ６０１〜Ｓ６０５と同様の処理を行う（ステップＳ９０１〜Ｓ９０５）。この場合、フレームレート制御部４２ｂは、被検体１の一連の画像データのうち、低速再生マークおよび高速再生マークのいずれも付与されていない画像データの表示フレームレートを通常設定にし（ステップＳ９０４）、低速再生マークが付与された画像データの表示フレームレートをこの通常設定から低速設定に変更し（ステップＳ９０２）、高速再生マークが付与された画像データの表示フレームレートをこの通常設定から高速設定に変更する（ステップＳ９０５）。
【０１０４】
つぎに、制御部４２は、低速設定、高速設定、または通常設定の表示フレームレートの画像データにスキップマークが付与されているか否かを判断する（ステップＳ９０６）。制御部４２は、この画像データにスキップマークが付与されていないと判断した場合（ステップＳ９０６，Ｎｏ）、表示部１２に対し、この画像データに対応する被検体１の画像をフレームレート制御部４２ｂが決定した表示フレームレートで表示する制御を行う（ステップＳ９０７）。一方、制御部４２が、この画像データにスキップマークが付与されていると判断した場合（ステップＳ９０６，Ｙｅｓ）、フレームレート制御部４２ｂは、この画像データを画像表示対象の一連の画像データから削除する処理を行う。これに基づき、制御部４２は、この画像データを表示部１２に画像表示させない。
【０１０５】
たとえば、フレームレート制御部４２ｂは、図２１に示すように、被検体１の一連の画像データのうち、スキップマークが付与された再生部位以外の画像データ群ＤＧ３，ＤＧ５を画像表示対象から削除する処理を行う。また、フレームレート制御部４２ｂは、再生部位の画像データ群ＤＧ４のうち、低速再生マークが付与された出血部位の画像データＤａ，Ｄｂの各表示フレームレートを低速設定に変更し、高速再生マークが付与された再生部位の画像データすなわち出血部位を除く再生部位の画像データの表示フレームレートを高速設定に変更する。この場合、制御部４２は、入力部１１から入力された画像表示指示情報によらず強制的に、スキップマークが付与された全画像データ（たとえば再生部位以外の画像データ群ＤＧ３，ＤＧ５）を表示部１２に表示させない（すなわち画像カットする）。また、制御部４２は、再生部位の画像データ（たとえば再生部位の画像データ群ＤＧ４の各画像データ）を主画像表示領域Ａ１に画像表示する場合、表示部１２に対し、再生部位のうちの出血部位の画像データ（たとえば画像データＤａ，Ｄｂ）を低速の表示フレームレートで画像を表示する制御を行い、出血部位以外の再生部位の画像データ（たとえば画像データＤａ，Ｄｂを除く画像データ群ＤＧ４）を高速の表示フレームレートで画像を表示する制御を行う。
【０１０６】
その後、制御部４２は、上述したステップＳ６０７と同様に、被検体１の一連の全画像が再生完了したか否かを判断し、未だ再生完了していないと判断した場合、上述したステップＳ６０８と同様に、時系列的に連続するつぎの画像データを読み取り、ステップＳ９０１以降の処理を繰り返す（ステップＳ９０８，Ｓ９０９）。これによって、制御部４２は、被検体１の一連の画像データのうち、スキップマークが付与された画像データすなわち再生部位以外の画像データをこの一連の画像データから削除でき、低速再生マークが付与された画像データすなわち再生部位のうちの出血部位の画像データを低速で順次画像表示でき、高速再生マークが付与された画像データすなわち出血部位を除く再生部位の画像データを高速で順次画像表示できる。このことは、検査者が選択する所望の臓器たとえば食道、胃、小腸、および大腸のいずれかの画像のみを表示して一連の画像の観察時間を短縮するとともに、この所望の臓器の画像のうちの出血部位の画像を出血部以外の画像に比して低速で表示する（すなわち表示時間を長くする）ことを可能にし、所望の臓器の出血部位の観察を容易にする。
【０１０７】
なお、この発明の実施の形態４では、再生部位の画像データのうち、出血部位の画像データを低速で画像表示するようにしていたが、この発明はこれに限定されるものではなく、再生部位の画像データのうち、腫瘍等の病変部位の画像データを低速で画像表示してもよいし、出血部位および病変部位の少なくとも一方が撮像された画像データを低速で画像表示してもよい。
【０１０８】
以上、説明したように、この発明の実施の形態４では、上述した実施の形態３の機能および構成に加え、順次表示する一連の画像のうち、選択した再生部位以外の画像を表示せずすなわち画像カットし、かつ、この再生部位の画像のうち、出血部位または病変部位等の医学的に異常な部位の画像を低速で表示し、この医学的に異常な部位を除く再生部位の画像を高速で表示するように構成した。したがって、被検体の一連の画像を表示する場合に、観察対象部位以外の画像を容易に画像カットできるとともに、観察対象部位の画像のうちの医学的に異常な部位を強制的に低速で表示することができ、上述した実施の形態３の作用効果を享受するとともに、観察対象として指定した臓器の異常な部位を容易に観察可能な画像表示装置を実現することができる。
【０１０９】
検査者は、この発明にかかる画像表示装置を用いることによって、被検体の一連の画像のうち、観察対象として指定した臓器たとえば小腸の画像のみを自動的に表示することができ、かつ、この指定した臓器たとえば小腸の画像のうち、出血部位または病変部位等の医学的に異常な部位の画像を自動的に低速で表示することができる。これによって、検査者は、この医学的に異常な部位の観察を容易にし、観察対象として指定した臓器を擬似的な動画を用いて観察することができる。このことは、検査者が、被検体内の臓器の状態を検査する上で有用である。
【図面の簡単な説明】
【０１１０】
【図１】この発明の実施の形態１である画像表示装置を用いたカプセル型内視鏡システムの一構成例を模式的に例示する模式図である。
【図２】この発明の実施の形態１である画像表示装置の一構成例を模式的に示すブロック図である。
【図３】一連の画像データから関心部位の画像データを抽出するための処理手順を説明するフローチャートである。
【図４】表示部の表示画面を具体的に例示する模式図である。
【図５】低速再生マークが付与された画像データを含む一連の画像データを順次画像表示するための処理手順を説明するフローチャートである。
【図６】自動抽出した関心部位の画像データを含む一連の画像データの各表示フレームレートを設定する動作を説明するための模式図である。
【図７】この発明の実施の形態２である画像表示装置の一構成例を模式的に示すブロック図である。
【図８】再生部位を選択するための処理手順を説明するフローチャートである。
【図９】再生部位を選択するための表示画面を具体的に例示する模式図である。
【図１０】選択された再生部位の画像データに低速再生マークを付与するための処理手順を説明するフローチャートである。
【図１１】再生部位の画像データを含む一連の画像データの各表示フレームレートを設定する動作を説明するための模式図である。
【図１２】この発明の実施の形態３である画像表示装置の一構成例を模式的に示すブロック図である。
【図１３】再生部位が選択された一連の画像データに低速再生マークまたは高速再生マークを付与するための処理手順を説明するフローチャートである。
【図１４】再生部位が択一的に指定された一連の画像データを順次画像表示するための処理手順を説明するフローチャートである。
【図１５】再生部位であるか否かに対応して一連の画像データの各表示フレームレートを低速設定または高速設定にする動作を説明するための模式図である。
【図１６】再生部位が択一的に指定された一連の画像データを順次画像表示するための処理手順の変形例を説明するフローチャートである。
【図１７】再生部位の画像データの表示フレームレートを低速設定にし、再生部位以外の画像データを削除する動作を説明するための模式図である。
【図１８】この発明の実施の形態４である画像表示装置の一構成例を模式的に示すブロック図である。
【図１９】一連の画像データに低速再生マーク、高速再生マーク、またはスキップマークを付与するための処理手順を説明するフローチャートである。
【図２０】再生部位が択一的に指定された一連の画像データを順次画像表示するための処理手順を説明するフローチャートである。
【図２１】再生部位の画像データの表示フレームレートを低速設定または高速設定にし、再生部位以外の画像データを削除する動作を説明するための模式図である。
【符号の説明】
【０１１１】
１  被検体
２  カプセル型内視鏡
３  受信装置
３ａ〜３ｈ  受信アンテナ
４，２１，３１，４１  画像表示装置
５  携帯型記録媒体
１１  入力部
１２  表示部
１３  リーダライタ
１４  記憶部
１５，２２，３２，４２  制御部
１５ａ，２２ａ，３２ａ，４２ａ  画像抽出部
１５ｂ，３２ｂ，４２ｂ  フレームレート制御部
２２ｃ  部位選択部
１００  再生操作アイコン群
１０１  「再生」アイコン
１０２  「コマ」アイコン
１０３  「高再」アイコン
１０４  「逆再」アイコン
１０５  「逆コマ」アイコン
１０６  「高逆」アイコン
１０７  「一停」アイコン
１１０  「閉じる」アイコン
１２０  「再生部位選択」アイコン
２０１  「ＯＫ」アイコン
２０２  「キャンセル」アイコン
Ａ１  主画像表示領域
Ａ２  副画像表示領域
Ｂ  スクロールバー
Ｄａ，Ｄｂ  画像データ
ＤＧ１〜ＤＧ５  画像データ群
Ｋ  カーソル
Ｓ  スライダ
ＴＳ  タイムスケール
Ｗ１  ウィンドウ
Ｗ２  選択ウィンドウ
【図１】
2006149684.tif 000003
【図２】
2006149684.tif 000004
【図３】
2006149684.tif 000005
【図４】
2006149684.tif 000006
【図５】
2006149684.tif 000007
【図６】
2006149684.tif 000008
【図７】
2006149684.tif 000009
【図８】
2006149684.tif 000010
【図９】
2006149684.tif 000011
【図１０】
2006149684.tif 000012
【図１１】
2006149684.tif 000013
【図１２】
2006149684.tif 000014
【図１３】
2006149684.tif 000015
【図１４】
2006149684.tif 000016
【図１５】
2006149684.tif 000017
【図１６】
2006149684.tif 000018
【図１７】
2006149684.tif 000019
【図１８】
2006149684.tif 000020
【図１９】
2006149684.tif 000021
【図２０】
2006149684.tif 000022
【図２１】
2006149684.tif 000023